(57)【要約】【課題】押しボタンや発光部を受信機の筐体の内部に収容しても、押しボタンを筐体の外部から容易に操作できると共に、発光部の光を外部に向けて導光することが可能となる、発光型押しボタン構造を提供する。【解決手段】押しボタン５２ａと、当該押しボタン５２ａに関連した発光動作又は消光動作を行う表示灯５３ａとを、筐体の内部に収容して構成された受信機に設けられた発光型押しボタン構造であって、筐体の側壁に形成された可動部７１ａであって、押しボタン５２ａ及び表示灯５３ａに対向する位置に形成された可動部７１ａを備え、可動部７１ａにおける押しボタン５２ａ及び表示灯５３ａに対向する側面には、可動部７１ａが筐体の外側から内側に向かう方向に沿って押圧されて変位することに伴って押しボタン５２ａを押圧可能な押圧部７３ａと、当該表示灯５３ａから発光された光を筐体の外部に導光可能な導光管７４ａとを設ける。【選択図】図７
2011003335.tif 000002
【特許請求の範囲】
【請求項１】
押しボタンと、当該押しボタンに対する近接位置に配置されたものであって前記押しボタンに関連した発光動作又は消光動作を行う発光部とを、筐体の内部に収容して構成された電子機器に設けられた発光型押しボタン構造であって、
前記筐体の側壁に形成された可動部であって、前記押しボタン及び前記発光部に対向する位置に形成された可動部を備え、
前記可動部における前記押しボタン及び前記発光部に対向する側面には、
前記押しボタンに対向する位置に配置されたものであって、前記可動部が前記筐体の外側から内側に向かう方向に沿って押圧されて変位することに伴って前記押しボタンを押圧可能な押圧部と、
前記発光部に対向する位置に配置されたものであって、当該発光部から発光された光を前記筐体の外部に導光可能な導光管と、
を設けた発光型押しボタン構造。
【請求項２】
前記筐体の側壁に開口部を形成し、
前記開口部の開口空間に前記可動部を配置し、
前記筐体の側壁と前記可動部とを、これらの相互間に設けた少なくとも一つの支点部を介して接続することにより、当該支点部を支点として前記可動部を変位可能とした、
請求項１に記載の発光型押しボタン構造。
【請求項３】
前記支点部を一つのみ設け、
前記可動部の周縁近傍位置であって、前記支点部と当該可動部の重心とを結ぶ直線上に、前記押圧部を配置した、
請求項２に記載の発光型押しボタン構造。
【請求項４】
前記筐体の側壁における前記押圧部及び前記導光管とは反対側の側面に、前記可動部を覆う薄膜部を設けた、
請求項１から３のいずれか一項に記載の発光型押しボタン構造。
【請求項５】
前記薄膜部に、前記押しボタンに関連した表示を設けた、
請求項４に記載の発光型押しボタン構造。
【請求項６】
前記薄膜部を介して、前記導光管にて導光された光を前記筐体の外部に導光可能とした、
請求項４又は５に記載の発光型押しボタン構造。
【請求項７】
前記薄膜部により、前記筐体の側壁と前記可動部との相互間の隙間を覆った、
請求項２及び請求項４から６のいずれか一項に記載の発光型押しボタン構造。
【発明の詳細な説明】
【技術分野】
【０００１】
本発明は、発光型押しボタン構造に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１参照）。
【０００３】
このような受信機には、告知放送の再生等を指示するための押しボタンや、この押しボタンの動作状況に合わせて発光する発光部（例えば、ＬＥＤランプ等）が設けられていた。具体的には、受信機の筐体に収容された回路基板上に押しボタンや発光部が実装されており、筐体に形成された開口部から押しボタンの操作部が外部に露出されることで、当該操作部を利用者が操作可能となっており、あるいは、筐体に形成された他の開口部から発光部の一部が外部に露出されることで、当該発光部の光が利用者に視認可能となっていた。
【先行技術文献】
【特許文献】
【０００４】
【特許文献１】特開平９−８７５３号公報
【発明の概要】
【発明が解決しようとする課題】
【０００５】
しかしながら、近年の電子部品の小型化の傾向に伴い、押しボタンについても小型化されたものを使用したいとの要望があるが、このような小型化された押しボタンの操作部のみを利用者に直接操作させることは、実際には物理的に困難であった。また、筐体に形成された開口部から押しボタンの操作部や発光部の一部を外部に露出させていたので、これら開口部と操作部等との相互間の隙間からちりや埃等が筐体の内部に侵入する可能性があり、耐環境性上好ましいものではなかった。
【０００６】
耐環境性の問題を解消するためには、例えば、押しボタンや発光部を受信機の筐体の内部に収容することも考えられる。しかし、押しボタンや発光部を筐体の内部に収容した構造では、押しボタンを受信機の外部から操作することが困難になる。また、発光部は押しボタンの動作状況に合わせて発光するものであるため、発光部を押しボタンの近傍に配置することで両者の関係性を明瞭化することが好ましいが、このように両者を相互に近接配置した場合には、押しボタンを操作するための構造によって発光部の光が遮られるという問題があった。
【０００７】
本発明は、上記に鑑みてなされたものであって、押しボタンや発光部を受信機の筐体の内部に収容した場合であっても、押しボタンを筐体の外部から容易に操作できると共に、発光部の光を外部に向けて導光することが可能となる、発光型押しボタン構造を提供することを目的とする。
【課題を解決するための手段】
【０００８】
上述した課題を解決し、目的を達成するために、請求項１に記載の発光型押しボタン構造は、押しボタンと、当該押しボタンに対する近接位置に配置されたものであって前記押しボタンに関連した発光動作又は消光動作を行う発光部とを、筐体の内部に収容して構成された電子機器に設けられた発光型押しボタン構造であって、前記筐体の側壁に形成された可動部であって、前記押しボタン及び前記発光部に対向する位置に形成された可動部を備え、前記可動部における前記押しボタン及び前記発光部に対向する側面には、前記押しボタンに対向する位置に配置されたものであって、前記可動部が前記筐体の外側から内側に向かう方向に沿って押圧されて変位することに伴って前記押しボタンを押圧可能な押圧部と、前記発光部に対向する位置に配置されたものであって、当該発光部から発光された光を前記筐体の外部に導光可能な導光管とを設ける。
【０００９】
請求項２に記載の発光型押しボタン構造は、請求項１に記載の発光型押しボタン構造において、前記筐体の側壁に開口部を形成し、前記開口部の開口空間に前記可動部を配置し、前記筐体の側壁と前記可動部とを、これらの相互間に設けた少なくとも一つの支点部を介して接続することにより、当該支点部を支点として前記可動部を変位可能とする。
【００１０】
請求項３に記載の発光型押しボタン構造は、請求項２に記載の発光型押しボタン構造において、前記支点部を一つのみ設け、前記可動部の周縁近傍位置であって、前記支点部と当該可動部の重心とを結ぶ直線上に、前記押圧部を配置する。
【００１１】
請求項４に記載の発光型押しボタン構造は、請求項１から３のいずれか一項に記載の発光型押しボタン構造において、前記筐体の側壁における前記押圧部及び前記導光管とは反対側の側面に、前記可動部を覆う薄膜部を設ける。
【００１２】
請求項５に記載の発光型押しボタン構造は、請求項４に記載の発光型押しボタン構造において、前記薄膜部に、前記押しボタンに関連した表示を設ける。
【００１３】
請求項６に記載の発光型押しボタン構造は、請求項４又は５に記載の発光型押しボタン構造において、前記薄膜部を介して、前記導光管にて導光された光を前記筐体の外部に導光可能とする。
【００１４】
請求項７に記載の発光型押しボタン構造は、請求項２及び請求項４から６のいずれか一項に記載の発光型押しボタン構造において、前記薄膜部により、前記筐体の側壁と前記可動部との相互間の隙間を覆う。
【発明の効果】
【００１５】
請求項１に記載の発光型押しボタン構造によれば、筐体の側壁に可動部を形成し、押しボタン及び発光部と対向する可動部の側面に押圧部と導光管とを設けることにより押しボタン構造を構成したので、可動部を押圧した場合には当該可動部に追随して押圧部が変位するので、小型化された押しボタンであっても的確に押圧することができ、押しボタンを筐体の外部から容易に操作できる。また、発光部に対向する位置に導光管を設けたことで、小型化された発光部であっても、発光部の照射範囲の広がりを抑えることができ、当該発光部の光を筐体の外部に向けて導光することができる。
【００１６】
請求項２に記載の発光型押しボタン構造によれば、可動部を押圧すると、支点部を支点とした可動部の変位に伴い、その変位に追随して押圧部が移動するので、押しボタンを的確に押圧することができ、押しボタンを筐体の外部から一層容易に操作できる。
【００１７】
請求項３に記載の発光型押しボタン構造によれば、一つの支点部と可動部の重心とを結ぶ直線上に、押圧部を配置することにより、可動部を押圧した際に、当該可動部に生じるねじれ変形を抑制でき、押圧部によって押しボタンを的確に押圧することができる。
【００１８】
請求項４に記載の発光型押しボタン構造によれば、筐体の側壁における押圧部及び導光管とは反対側の側面に、可動部を覆う薄膜部を設けたことで、押しボタンや発光部の動作や機能に関連する情報の表示や、可動部やその周囲の保護を行うことができる。
【００１９】
請求項５に記載の発光型押しボタン構造によれば、押しボタンに関連した表示をすることにより、利用者等に対して押しボタンの配置場所や所定の機能等を視認させることができ、電子機器の操作性を向上することができる。
【００２０】
請求項６に記載の発光型押しボタン構造によれば、可動部全体を薄膜部によって覆った場合でも、薄膜部を透光材料等にて形成することにより、発光部の光を薄膜部を透光させて筐体の外部へ導光することができるので、発光部の光の導光が阻害されることを回避できると共に、薄膜部の表示機能を発揮させることができる。
【００２１】
請求項７に記載の発光型押しボタン構造によれば、薄膜部によって筐体の側壁と可動部との相互間の隙間を覆うことで、筐体の内部にほこりやちり等が侵入することを防止でき、電子機器の耐環境性を向上することができる。
【図面の簡単な説明】
【００２２】
【図１】設置壁に固定された受信機を示す斜視図である。
【図２】受信機を示す図であり、（ａ）は正面図、（ｂ）は背面図、（ｃ）は底面図である。
【図３】固定板を示す図であり、（ａ）は正面図、（ｂ）は右側面図、（ｃ）は（ａ）のＡ−Ａ矢視断面図、（ｄ）は底面図、（ｅ）は（ａ）のＢ−Ｂ矢視断面図、（ｆ）は背面図である。
【図４】受信機を固定板と共に示す図であり、（ａ）は背面図、（ｂ）は右側面図、（ｃ）は平面図である。
【図５】回路基板を示す図であり、（ａ）は正面図、（ｂ）は右側面図である。
【図６】正面カバーを示す図であり、（ａ）は正面図、（ｂ）は背面図である。
【図７】可動部周辺の分解斜視図である。
【図８】図７の更なる分解斜視図である。
【図９】可動部を示す図であり、（ａ）は斜視図、（ｂ）は（ａ）の縦断面図、（ｃ）は（ａ）の横断面図である。
【図１０】可動部周辺を示す図であり、（ａ）は変位前の右側面図、（ｂ）は、変位後の右側面図である。
【発明を実施するための形態】
【００２３】
以下に添付図面を参照して、この発明に係る発光型押しボタン構造の実施の形態を詳細に説明する。最初に電子機器の全体構成を説明し、次に発光型押しボタン構造を説明し、最後に本実施の形態に対する変形例について説明する。ただし、この実施の形態によって本発明が限定されるものではない。なお、この実施の形態では、電子機器として、告知放送システムのセンター装置から送信された告知放送信号を住戸内で受信して告知放送出力を行う受信機を挙げて説明する。
【００２４】
（構成−受信機）
最初に、受信機の基本構成について説明する。図１は設置壁Ｗに固定された受信機を示す斜視図である。図２は、受信機を示す図であり、（ａ）は正面図、（ｂ）は背面図、（ｃ）は底面図である。これら図１及び図２（ａ）〜（ｃ）に示すように、受信機１は、筐体３の内部に図示しない各種の電子部品等を実装した回路基板５０を収容して構成されている。この筐体３は、正面カバー３ａと背面カバー３ｂとを組み合わされて構成されている。正面カバー３ａと背面カバー３ｂの接続方法は任意であるが、例えば、正面カバー３ａと背面カバー３ｂは嵌合やネジ留めにて接続することができる。この正面カバー３ａの詳細については後述する。
【００２５】
この筐体３の正面には、操作部４及び表示部５が設けられている。操作部４としては、具体的には、受信機１に録音された告知放送の再生を指示するための告知再生操作部４ａ、後述するアンテナ１７から受信したＦＭラジオ放送等の出力を指示するためのラジオ放送操作部４ｂ、及び放送音量を調節するためのボリューム操作部４ｃが設けられている。表示部５としては、具体的には、電源ＯＮ時に点灯する電源表示部５ａ、緊急放送時に点灯又は点滅する緊急放送表示部５ｂ、及び一般放送時に点灯又は点滅する一般放送表示部５ｃが設けられている。また、筐体３の正面には、筐体３の内部に設けた図示しないスピーカから出力された音を、当該筐体３の外部に放出するための音響孔６が設けられている。
【００２６】
また、図２（ｂ）に示すように、筐体３の背面において、この受信機１に対しては、告知放送信号を受信機１に入力するための同軸ケーブル１０が接続される。この同軸ケーブル１０は、筐体３の上側に形成された収容空間部７にコネクタ部分が収容されると共に、筐体３の右側に形成された収容空間部８にケーブル部分が収容されることで、筐体３の外部に突出することが防止されている。また、筐体３の背面において、受信機１に対しては、商用電源からの電力を受信機１に供給するための電源コード１１が接続される。この電源コード１１は、筐体３の左下側に形成された収容空間部９にコネクタ部分及びケーブル部分が収容されることで、筐体３の外部に突出することが防止されている。
【００２７】
また、図２（ｂ）に示すように、筐体３の背面において、受信機１に対しては、各種の移報用の信号を出力するための移報用ケーブル１３が接続される。この移報用ケーブル１３は、筐体３の左上側に形成された収容空間部１４にコネクタ部分が収容されている。また、移報用ケーブル１３のケーブル部分は、筐体３の上下中央付近に筐体３の幅方向に沿って形成されたガイド部１５を通って、収容空間部８に収容されている。このような構造により、移報用ケーブル１３が筐体３の外部に突出することが防止されている。なお、これら同軸ケーブル１０、電源コード１１、及び移報用ケーブル１３は、図２（ｂ）以外では図示を省略する。
【００２８】
ガイド部１５は、小径部１５ａ、中径部１５ｂ、及び大径部１５ｃを有する。小径部１５ａは、筐体３の図示左側に設けられたものであって、少なくとも移報用ケーブル１３を挿通可能な径で形成された開口である。中径部１５ｂは、筐体３の図示右側に設けられたものであって、少なくとも同軸ケーブル１０を挿通可能な径で形成された開口である。大径部１５ｃは、小径部１５ａと中径部１５ｂとの相互間に設けられたものであって、中径部１５ｂよりも大きな径を有する開口である。このようなガイド部１５を設けたことで、筐体３の図示右側と図示左側との間で、各種の配線を取り回すことが可能になる。ここでは、上述したように、移報用ケーブル１３をガイド部１５を介して収容空間部８へ取り回している。また、このようなガイド部１５を設けたことで、筐体３の図示右側から中央にかけて、あるいは図示左側から中央にかけて、各種の配線を取り回し、大径部１５ｃから筐体３の外部に引き出すことが可能となる。例えば、移報用ケーブル１３を小径部１５ａ及び大径部１５ｃを介して筐体３の外部に引き出すことができ、又は同軸ケーブル１０を中径部１５ｂ及び大径部１５ｃを介して筐体３の外部に引き出すことができる。なお、ガイド部１５は、移報用ケーブル１３又は同軸ケーブル１０を収容するだけでなく、電源コード１１も収容できるようにしてもよい。この場合には、ガイド部１５は、収容空間部９と連通させて構成する。
【００２９】
また、図２（ａ）、（ｂ）に示すように、筐体３の左側面には、ＦＭラジオ等の電波を受信するためのアンテナ１７が設けられている。従って、告知放送がセンター装置から受信できない状況であっても、アンテナ１７にてＦＭラジオ等を受信することができる。
【００３０】
また、図２（ｂ）、（ｃ）に示すように、筐体３の背面には複数の係止穴１ａ、１ｂが形成されており、筐体３の底面には複数の係止穴１ｃ、１ｄが形成されている。これら係止穴１ａ〜１ｄは、後述する固定板２０の係止突起２４を係脱自在に係止するための貫通孔である。係止穴１ａ、１ｂは、筐体３の重心位置を中心として、上下に対称となる複数箇所に方形状に形成されている。係止穴１ｃ、１ｄは、筐体３の左右中央位置を中心として、左右対称となる複数箇所に方形状に形成されている。
【００３１】
また、図２（ａ）に示すように、筐体３には、図示しない電池を収容するための空間部である電池収容部３０と、この電池収容部３０を開閉自在に覆う電池カバー４０が設けられている。このように電池カバー４０を筐体３の正面に設けることで、電池カバー４０の着脱や電池交換を容易に行うことができる。
【００３２】
（構成−固定板）
次に、このように構成された受信機１を固定するための固定板２０について説明する。図３は固定板２０を示す図であり、（ａ）は正面図（受信機１に対向する側を正面とする）、（ｂ）は右側面図、（ｃ）は（ａ）のＡ−Ａ矢視断面図、（ｄ）は底面図、（ｅ）は（ａ）のＢ−Ｂ矢視断面図、（ｆ）は背面図である。図４は、受信機１を固定板２０と共に示す図であり、（ａ）は背面図、（ｂ）は右側面図、（ｃ）は平面図である。固定板２０は、樹脂材にて形成された略板状体であり、受信機１と設置面の間に介在され、受信機１を設置面に固定するものである。
【００３３】
この固定板２０は、開口部２１、上下一対のネジ孔２２、２３、複数の係止突起２４、及び溝部２５を備えて構成されている。
【００３４】
開口部２１は、受信機１に接続した移報用ケーブル１３又は同軸ケーブル１０を、受信機１のガイド部１５の大径部１５ｃを介して固定板２０の外部に引き出すための開口であり、図３（ａ）、（ｃ）、（ｆ）に示すように、固定板２０の上下左右のほぼ中央付近に設けられている。この開口部２１は、ガイド部１５の大径部１５ｃとほぼ同じ形状（略長方形状）で形成されており、ガイド部１５の大径部１５ｃに対応する位置に配置されている。このような構造とすることで、受信機１を設置壁Ｗに固定する際には、移報用ケーブル１３又は同軸ケーブル１０を、筐体３の外部に突出させることなく開口部２１を介して設置壁Ｗの内部に引き込むことができる。
【００３５】
上下一対のネジ孔２２、２３は、受信機１を設置壁Ｗに固定する際に、当該壁面にねじ込まれた図示しない取り付けネジを係止させるためのものである。上方のネジ孔２２は、ダルマ形状の孔部であり、図示しない取り付けネジの頭部を挿通可能な径の大径部２２ａと、この大径部２２ａに対して上方に設けられたものであって図示しない取り付けネジの頭部は挿通不能であるが図示しない取り付けネジの本体部を挿通可能な径の小径部２２ｂとを、相互に連通させて構成されている。下方のネジ孔２３は、図示しない取り付けネジの頭部は挿通不能であるが図示しない取り付けネジの本体部を挿通可能な径にて形成されたもので、固定板２０の幅方向に沿って長い長孔状として形成されている。
【００３６】
複数の係止突起２４は、固定板２０の正面に設けられたもので、図３（ａ）、（ｃ）〜（ｅ）に示すように、受信機１を設置壁Ｗに固定する際に、受信機１の背面の係止穴１ａ、１ｂに係脱自在に係止され、あるいは、受信機１を固定板２０に直立させた状態で固定する際に、受信機１の底面の係止穴１ｃ、１ｄに係脱自在に係止されることによって、固定板２０に対して受信機１を着脱自在に取り付けるものである。
【００３７】
これら複数の係止突起２４は、固定板２０と同様の樹脂材にて形成された略板状体であり、固定板２０の係止穴１ａ、１ｂに対応する位置及び形状（側面略Ｌ字形状）で、固定板２０から受信機１に向けて突出するように形成されており、固定板２０の長さ方向に沿って並設されている。また、この複数の係止突起２４は、受信機１を設置壁Ｗに固定する際に、固定板２０の側面に沿った係止突起２４の側部を上方に向けて突出させるように配置されている。この固定板２０の側面に沿った係止突起２４の側部と固定板２０との隙間の大きさは任意であるが、係止突起２４と係止穴１ａ〜１ｄとの係止力を強固にするために、例えば、受信機１の筐体３の板厚の大きさに対応させることが好ましい。この複数の係止突起２４と固定板２０との接続方法は任意であるが、例えば、複数の係止突起２４と固定板２０とを樹脂成型にて相互一体に形成される方法がある。ただし、このような接続方法に限らず、複数の係止突起２４と固定板２０とを接着剤等にて固着する方法がある。しかしながら、樹脂成型にて形成することで、固定板２０の製造が容易になり、固定板２０の製造コストを低減できる。
【００３８】
溝部２５は、固定板２０の正面に設けられたもので、受信機１を固定板２０に対して直立させた状態で固定する際に、受信機１を固定板２０に対して嵌合させるものである。すなわち、上述した複数の係止突起２４は、溝部２５における、受信機１の底面の係止穴１ｃ、１ｄに対応する位置に配置されており、受信機１を溝部２５に配置することで、係止穴１ｃ、１ｄに係止突起２４を係止させることが可能となる。また、溝部２５は、受信機１の底面とほぼ同じ形状（略長方形状）で設けられており、この溝部２５に受信機１の底面を配置することで、この底部を溝部２５に嵌合させることができる。
【００３９】
（発光型押しボタン構造）
次に、このように構成された受信機１における発光型押しボタン構造について説明する。この発光型押しボタン構造は、受信機１の筐体３の内部に収容された押しボタンや発光部の操作等を行うために、筐体３に設けられた構造である。
【００４０】
（発光型押しボタン構造−回路基板）
まず、発光型押しボタン構造を設ける上での前提となる押しボタンや発光部及びその他回路構成について説明する。これら押しボタンや発光部等は、筐体３の内部に収容された回路基板５０に実装されている。図５は回路基板５０を示す図であり、（ａ）は正面図（受信機１に対向する側を正面とする）、（ｂ）は右側面図である。回路基板５０は、正面カバー３ａの操作部４及び表示部５と対応する位置に配置されており、正面カバー３ａ又は背面カバー３ｂに対してネジ留め等にて接続されている。
【００４１】
図５（ａ）、（ｂ）に示すように、この回路基板５０上であって、筐体３の表示部５と対応する位置には、表示灯５１ａ、５１ｂ、５１ｃが設けられている。この表示灯５１ａ、５１ｂ、５１ｃは、表示部５に関連した発光動作又は消光動作を行うものである。具体的には、表示灯５１ａは、電源表示部５ａに対応する位置に配置され、表示灯５１ｂは、緊急放送表示部５ｂに対応する位置に配置され、表示灯５１ｃは、一般放送表示部５ｃに対応する位置に配置されている。これら表示灯５１ａ、５１ｂ、５１ｃの点灯又は点滅方法は任意であり、例えば、表示灯５１ｂは、受信機１が告知放送信号を同軸ケーブル１０を介して受信している間は点灯又は点滅し、受信していない間は消灯する。なお、これら表示灯５１ａ、５１ｂ、５１ｃに用いられる具体的な種類は任意であるが、例えば、ＬＥＤランプ等が該当する。
【００４２】
図５（ａ）、（ｂ）に示すように、この回路基板５０上であって、筐体３の操作部４と対応する位置には、押しボタン５２ａ、５２ｂ、表示灯５３ａ、５３ｂ、セグメント表示部５４、及びボリュームスイッチ５５が設けられている。
【００４３】
押しボタン５２ａ、５２ｂは、操作部４の動作を切り替えるためのものである。具体的には、押しボタン５２ａは、告知再生操作部４ａを介して操作されることで、告知放送の再生に関する動作を行うもので、告知再生操作部４ａに対応する位置に配置されている。押しボタン５２ｂは、ラジオ放送操作部４ｂを介して操作されることで、ラジオ放送に関する動作を行うもので、ラジオ放送操作部４ｂに対応する位置に配置されている。これら押しボタン５２ａ、５２ｂは、回路基板５０に対してハンダ等により接続されている。
【００４４】
これら押しボタン５２ａ、５２ｂによる具体的な回路動作は任意である。例えば、押しボタン５２ａが押圧されると、その動作が回路基板５０の図示しない制御部にて検知され、受信機１に録音された告知放送の再生が開始される。また、この押しボタン５２ａが押圧される度に、受信機１に録音された複数の告知放送が順次切り替えて再生される。一方、押しボタン５２ｂが押圧されると、その動作が回路基板５０の図示しない制御部にて検知され、アンテナ１７を介して受信されたＦＭラジオの出力が開始される。また、この押しボタン５２ｂを押圧する度に、ＦＭラジオの複数のチャンネルが順次切り替えられる。
【００４５】
表示灯５３ａ、５３ｂは、押しボタン５２ａ、５２ｂに関連した発光動作又は消光動作を行う発光部である。具体的には、表示灯５３ａは、告知再生操作部４ａと対応する位置であって、押しボタン５２ａの上方に近接して配置されている。また、表示灯５３ｂは、ラジオ放送操作部４ｂと対応する位置であって、押しボタン５２ｂの上方に近接して配置されている。これら表示灯５３ａ、５３ｂは、回路基板５０に対してハンダ等により接続されている。これら表示灯５３ａ、５３ｂに用いられる具体的な種類は任意であるが、例えば、ＬＥＤランプ等が該当する。
【００４６】
これら表示灯５３ａ、５３ｂの点灯又は点滅方法は任意であるが、上述のように、表示灯５３ａ、５３ｂの発光動作又は消光動作は押しボタン５２ａ、５２ｂに関連したものとして行われる。ここで、押しボタン５２ａ、５２ｂに関連した発光動作又は消光動作とは、押しボタン５２ａ、５２ｂの機能や動作に応じた発光動作又は消光動作であり、押しボタン５２ａ、５２ｂが押圧されることに伴って発光動作又は消光動作を行う場合の他、押しボタン５２ａ、５２ｂが押圧されていない場合であっても、押しボタン５２ａ、５２ｂが押圧されることによって達成される機能に関連する発光動作又は消光動作を行う場合を含む。例えば、受信機１に告知放送が録音されると、利用者等に対して告知放送の再生を促すために、表示灯５３ａが点灯又は点滅される。また、告知放送の再生中は表示灯５３ａが点灯され、録音された告知放送がすべて再生されると、表示灯５３ａが消灯される。
【００４７】
セグメント表示部５４は、押しボタン５２ａ、５２ｂに関連した情報を表示するものである。具体的には、セグメント表示部５４は、図示しない制御部の制御に基づいて、受信機１に録音された告知放送の録音数を表示したり、或いはＦＭラジオ放送等のチャンネルを表示する。セグメント表示部５４は、押しボタン５２ａ、５２ｂの相互間に配置されており、回路基板５０に対してハンダ等により接続されている。
【００４８】
ボリュームスイッチ５５は、ボリューム操作部４ｃの操作を介して音量の切り替えを行うためのものである。ボリュームスイッチ５５は、ボリューム操作部４ｃに対応する位置に配置され、回路基板５０に対してハンダ等により接続されている。
【００４９】
（発光型押しボタン構造−正面カバー）
次に、正面カバー３ａについて説明する。図６は正面カバー３ａを示す図であり、（ａ）は正面図（受信機１に対向する側を正面とする）、（ｂ）は背面図である。
【００５０】
図６（ａ）、（ｂ）に示すように、正面カバー３ａには、開口部６１ａ、６１ｂ、６１ｃ、６１ｄが設けられている。開口部６１ａ、６１ｂは、後述する可動部７１ａ、７１ｂを収容するためのものである。開口部６１ａは、告知再生操作部４ａに対応する位置に配置されており、開口部６１ｂは、ラジオ放送操作部４ｂに対応する位置に配置されている。開口部６１ｃは、回路基板５０上のセグメント表示部５４を露出させるための開口であり、セグメント表示部５４に対応する位置に配置されている。開口部６１ｄは、回路基板５０上のボリュームスイッチ５５の一部を筐体３の外部に露出させるための開口であり、ボリュームスイッチ５５に対応する位置に配置されている。
【００５１】
また、正面カバー３ａの背面には、図６（ｂ）に示すように、導光管６２ａ、６２ｂ、６２ｃが設けられている。導光管６２ａ、６２ｂ、６２ｃは、回路基板５０上の表示灯５１ａ、５１ｂ、５１ｃから発光された光を筐体３の外部に導光するためのものである。この導光管６２ａ、６２ｂ、６２ｃは、正面カバー３ａと樹脂成型にて相互一体に形成された中空管路である。具体的には、導光管６２ａは電源表示部５ａ及び表示灯５１ａに対応する位置、導光管６２ｂは緊急放送表示部５ｂ及び表示灯５１ｂに対応する位置、導光管６２ｃは一般放送表示部５ｃ及び表示灯５１ｃに対応する位置に設けられている。これら導光管６２ａ、６２ｂ、６２ｃの中空管路は、表示灯５１ａ、５１ｂ、５１ｃから発せられた光を筐体３の外部に導光可能となるように、表示灯５１ａ、５１ｂ、５１ｃの外径と同等又はそれ以上の径となる内径を有するように形成されている。また、正面カバー３ａにおける導光管６２ａ、６２ｂ、６２ｃの中空管路に対応する位置には、光を筐体３の外部に放射するための貫通孔６３ａ、６３ｂ、６３ｃが設けられている。
【００５２】
（発光型押しボタン構造−正面カバー−可動部）
次に、正面カバー３ａの可動部７１ａ、７１ｂについて説明する。ただし、可動部７１ｂ及びその周辺の構成は、可動部７１ａ及びその周辺の構成と実質的に同じであるため、以下では、主に可動部７１ａ及びその周辺の構成を図７〜図１０を参照しつつ説明するものとし、可動部７１ｂ及びその周辺の構成とその符号の図示は省略する。図７は可動部７１ａ周辺の分解斜視図である。図８は図７の更なる分解斜視図である。図９は可動部７１ａを示す図であり、（ａ）は斜視図、（ｂ）は（ａ）の縦断面図、（ｃ）は（ａ）の横断面図である。図１０は可動部７１ａ周辺を示す図であり、（ａ）は変位前の右側面図、（ｂ）は、変位後の右側面図である。
【００５３】
図６〜図９（ａ）、（ｂ）に示すように、正面カバー３ａの開口部６１ａ、６１ｂの開口空間には、可動部７１ａ、７１ｂが設けられている。可動部７１ａ、７１ｂは、樹脂材にて形成された略板状体である。具体的には、可動部７１ａは、告知再生操作部４ａに対応する位置であって、押しボタン５２ａ及び表示灯５３ａに対応する位置に配置されている。可動部７１ｂは、ラジオ放送操作部４ｂに対応する位置であって、押しボタン５２ｂ及び表示灯５３ｂに対応する位置に配置されている。
【００５４】
これら可動部７１ａ、７１ｂは、正面カバー３ａと当該可動部７１ａ、７１ｂとの相互間に設けられた支点部７２ａ、７２ｂを介して、当該正面カバー３ａの側壁と接続されている。この支点部７２ａ、７２ｂの配置位置、配置数、及び形状は、正面カバー３ａに対して可動部７１ａ、７１ｂを可動可能である限り任意であり、例えば、可動部７１ａ、７１ｂの上下２点に設けてもよいが、本実施の形態では、１つの支点部７２ａ、７２ｂにより正面カバー３ａの側壁と可動部７１ａ、７１ｂの上端部が接続されている。これにより、可動部７１ａ、７１ｂは、回路基板５０上の押しボタン５２ａ、５２ｂに向かう方向に沿って押圧されると、支点部７２ａ、７２ｂを支点として、押圧される方向に沿って変位することができる。この支点部７２ａ、７２ｂを介して正面カバー３ａの側壁と可動部７１ａ、７１ｂとを接続するための接続方法は任意であるが、例えば、正面カバー３ａの側壁と可動部７１ａ、７１ｂとを支点部７２ａ、７２ｂと共に樹脂成型にて一体に形成すること（正面カバー３ａの側壁に対して、側壁と可動部７１ａ、７１ｂとの間の隙間（開口部６１ａ、６１ｂ）を型抜きすること）が挙げられる。
【００５５】
また、可動部７１ａ、７１ｂにおける回路基板５０に対向する側面には、押圧部７３ａ、７３ｂ及び導光管７４ａ、７４ｂが設けられている。押圧部７３ａ、７３ｂは、押しボタン５２ａ、５２ｂを押圧するためのものである。この押圧部７３ａ、７３ｂは、樹脂材にて形成された略棒状体であり、押しボタン５２ａ、５２ｂに対向する位置に配置されている。押圧部７３ａ、７３ｂの配置方法は任意であるが、例えば、正面カバー３ａと当該可動部７１ａ、７１ｂとの相互間に一つの支点部７２ａ、７２ｂを設けた場合に、可動部７１ａ、７１ｂの周縁近傍位置であって、支点部７２ａ、７２ｂと当該可動部７１ａ、７１ｂの重心とを結ぶ直線上に、押圧部７３ａ、７３ｂを配置することが好ましい。このような構造により、可動部７１ａ、７１ｂを押圧したときに、可動部７１ａ、７１ｂにねじり変形が生じることを防止できる。
【００５６】
導光管７４ａ、７４ｂは、回路基板５０上の表示灯５３ａ、５３ｂから発光された光を筐体３の外部に導光するためのものである。導光管７４ａは表示灯５３ａに対応する位置、導光管７４ｂは表示灯５３ｂに対応する位置にそれぞれ配置されている。これら導光管７４ａ、７４ｂは、上述の導光管７４ａ、７４ｂと同様に構成されており、その中空管路は、表示灯５３ａ、５３ｂが発せられた光を筐体３の外部に導光可能となるように、表示灯５３ａ、５３ｂの外径と同等又はそれ以上の径となる内径を有するように形成されている。また、可動部７１ａ、７１ｂにおける導光管７４ａ、７４ｂの中空管路に対応する位置には、光を筐体３の外部に放射するための貫通孔７５ａ、７５ｂが設けられている。ただし、貫通孔７５ａ、７５ｂを設ける代わりに、可動部７１ａ、７１ｂを透光性樹脂にて形成したり、可動部７１ａ、７１ｂを透光可能程度の薄厚状としてもよい。
【００５７】
これら導光管７４ａ、７４ｂと表示灯５３ａ、５３ｂの配置方法は任意であるが、例えば、導光管７４ａ、７４ｂと表示灯５３ａ、５３ｂは所定の間隔を隔てて配置する。或いは、表示灯５３ａ、５３ｂの導光性を高めるために、表示灯５３ａ、５３ｂの全部又は一部を、導光管７４ａ、７４ｂの内部に収容するように配置する。ただし、表示灯５３ａ、５３ｂを導光管７４ａ、７４ｂの内部に収容する場合には、可動部７１ａ、７１ｂの変位に伴って導光管７４ａ、７４ｂが上下に傾くことにより、表示灯５３ａ、５３ｂと導光管７４ａ、７４ｂとが当接する可能性がある。このため、導光管７４ａ、７４ｂの内径の大きさは、表示灯５３ａ、５３ｂの外径と、導光管７４ａ、７４ｂが傾いたときの当該導光管７４ａ、７４ｂの上下方向の移動距離とを加えた大きさ以上に設定することが好ましい。また、可動部７１ａ、７１ｂに対する押圧部７３ａ、７３ｂ及び導光管７４ａ、７４ｂの接続方法は任意であるが、例えば、これらを樹脂成型で一体に形成してもよく、あるいは別体に形成した後で接着剤等にて接続してもよい。
【００５８】
また、図７及び図８に示すように、可動部７１ａ、７１ｂの側面のうち、導光管７４ａ、７４ｂ及び表示灯５３ａ、５３ｂが接続されている側面とは反対側の側面には、表示シール７６ａ、７６ｂが設けられている。この表示シール７６ａ、７６ｂは、透光性の高い合成樹脂フィルムにて形成された薄膜部であり、可動部７１ａ、７１ｂ及び開口部６１ａ、６１ｂを正面から覆うように、その正面形状は開口部６１ａ、６１ｂの正面形状より大きな形状とされ、正面カバー３ａの側壁（少なくとも可動部７１ａ、７１ｂを含んだ部分）に対して接着剤等によって固着されている。これにより、表示シール７６ａ、７６ｂを介して、導光管７４ａ、７４ｂにて導光された光を筐体３の外部に導光することができる。特に、表示シール７６ａ、７６ｂとして、光拡散性の高い素材を用いることで、導光管７４ａ、７４ｂを介して表示シール７６ａ、７６ｂに入射した光を、当該表示シール７６ａ、７６ｂの内部において拡散させ、表示シール７６ａ、７６ｂを全体的に光らせることで、表示効果を高めてもよい。また、表示シール７６ａ、７６ｂによって、正面カバー３ａの側壁と可動部７１ａ、７１ｂとの相互間の隙間（開口部６１ａ、６１ｂ）を覆うことにより、筐体３の内部にほこりやちり等が侵入することを防止できる。
【００５９】
また、表示シール７６ａ、７６ｂの外側には、押しボタン５２ａ、５２ｂに関連する所定の情報を表示するための情報表示部７７ａ、７７ｂが設けられている。このため、表示シール７６ａ、７６ｂを用いて、押しボタン５２ａ、５２ｂに関連する情報を利用者に伝達することができる。この情報表示部７７ａ、７７ｂにおいて表示する情報としては、例えば、告知再生操作部４ａやラジオ放送操作部４ｂの機能や位置を文字や図等を用いて利用者に認識させるための情報（「告知放送」の文字等）や、告知再生操作部４ａやラジオ放送操作部４ｂの操作方法を示唆するための操作情報（「おす」の文字等）が該当する。
【００６０】
このように構成された発光型押しボタン構造の機能は以下の通りである。ここでは、告知再生操作部４ａに関する機能について説明する。
【００６１】
まず、導光管７４ａの機能に関して、導光管７４ａが設けられていない構造を想定すると、小型化された表示灯５３ａの場合には、表示灯５３ａの照射範囲が広がりやすいため、表示灯５３ａの所定の照射範囲を維持しながら、表示灯５３ａの光を筐体３の外部へ導光することが困難となる。これに対して、図１０（ａ）に示すように、導光管７４ａが設けられた構造では、小型化された表示灯５３ａであっても、表示灯５３ａの光を導光管７４ａを介して導光することによって、表示灯５３ａの照射範囲の広がりを抑えて、所望の照射方向に集光して放射させることできる。以上のことから、導光管７４ａを設けたことで、表示灯５３ａの所定の照射範囲を維持しながら、表示灯５３ａの光を筐体３の外部へ導光することが可能となる。
【００６２】
次に、押圧部７３ａの機能に関して、押圧部７３ａが設けられていない構造を想定すると、小型化された押しボタン５２ａの場合には、可動部７１ａを変位させたときに、可動部７１ａが上下に傾くことによって、可動部７１ａと押しボタン５２ａとを真っ直ぐに当接することができず、押しボタン５２ａを的確に押圧することが困難となる。これに対して、図１０（ｂ）に示すように、押圧部７３ａが設けられた構造では、押圧部７３ａと押しボタン５２ａとの相互間の距離を短くすることで、可動部７１ａの変位量を小さくすることができ、可動部７１ａの変位に伴う可動部７１ａの上下の傾きを抑えることができる。以上のことから、押圧部７３ａを設けたことで、押圧部７３ａと押しボタン５２ａとを真っ直ぐ当接させることができ、押しボタン５２ａを的確に押圧できる。
【００６３】
（効果）
このように本実施の形態によれば、筐体３の側壁に可動部７１ａ、７１ｂを形成し、押しボタン５２ａ、５２ｂ及び表示灯５３ａ、５３ｂと対向する可動部７１ａ、７１ｂの側面に押圧部７３ａ、７３ｂと導光管７４ａ、７４ｂとを設けることにより押しボタン構造を構成したので、可動部７１ａ、７１ｂを押圧した場合には当該可動部７１ａ、７１ｂに追随して押圧部７３ａ、７３ｂが変位するので、小型化された押しボタン５２ａ、５２ｂであっても的確に押圧することができ、押しボタン５２ａ、５２ｂを筐体３の外部から容易に操作できる。また、表示灯５３ａ、５３ｂに対向する位置に導光管７４ａ、７４ｂを設けたことで、小型化された表示灯５３ａ、５３ｂであっても、表示灯５３ａ、５３ｂの照射範囲の広がりを抑えることができ、当該表示灯５３ａ、５３ｂの光を筐体３の外部に向けて導光することができる。
【００６４】
また、可動部７１ａ、７１ｂを押圧すると、支点部７２ａ、７２ｂを支点とした可動部７１ａ、７１ｂの変位に伴い、その変位に追随して押圧部７３ａ、７３ｂが移動するので、押しボタン５２ａ、５２ｂを的確に押圧することができ、押しボタン５２ａ、５２ｂを筐体３の外部から一層容易に操作できる。特に、可動部７１ａ、７１ｂ、押圧部７３ａ、７３ｂ、及び導光管７４ａ、７４ｂを筐体３と一体成型によって形成することで、製造コストを抑えることができる。
【００６５】
また、一つの支点部７２ａ、７２ｂと可動部７１ａ、７１ｂの重心とを結ぶ直線上に、押圧部７３ａ、７３ｂを配置することにより、可動部７１ａ、７１ｂを押圧した際に、当該可動部７１ａ、７１ｂに生じるねじれ変形を抑制でき、押圧部７３ａ、７３ｂによって押しボタン５２ａ、５２ｂを的確に押圧することができる。
【００６６】
また、筐体３の側壁における押圧部７３ａ、７３ｂ及び導光管７４ａ、７４ｂとは反対側の側面に、可動部７１ａ、７１ｂを覆う表示シール７６ａ、７６ｂを設けたことで、押しボタン５２ａ、５２ｂや表示灯５３ａ、５３ｂの動作や機能に関連する情報の表示や、可動部７１ａ、７１ｂやその周囲の保護を行うことができる。具体的には、押しボタン５２ａ、５２ｂに関連した表示をすることにより、利用者等に対して押しボタン５２ａ、５２ｂの配置場所や所定の機能等を視認させることができ、受信機１の操作性を向上することができる。また、表示シール７６ａ、７６ｂによって筐体３の側壁と可動部７１ａ、７１ｂとの相互間の隙間を覆うことで、筐体３の内部にほこりやちり等が侵入することを防止でき、受信機１の耐環境性を向上することができる。
【００６７】
また、可動部７１ａ、７１ｂ全体を表示シール７６ａ、７６ｂによって覆った場合でも、表示シール７６ａ、７６ｂを透光材料にて形成することにより、表示灯５３ａ、５３ｂの光を表示シール７６ａ、７６ｂを透光させて筐体３の外部へ導光することができるので、表示灯５３ａ、５３ｂの光の導光が阻害されることを回避できると共に、表示シール７６ａ、７６ｂの表示機能を発揮させることができる。
【００６８】
〔本実施の形態に対する変形例〕
以上、本発明の本実施の形態について説明したが、本発明の具体的な構成及び手段は、特許請求の範囲に記載した各発明の技術的思想の範囲内において、任意に改変及び改良することができる。以下、このような変形例について説明する。
【００６９】
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７０】
（可動部、押圧部、及び導光管の寸法や形状について）
本実施の形態で説明又は図示した可動部７１ａ、７１ｂ、押圧部７３ａ、７３ｂ、及び導光管７４ａ、７４ｂの寸法や形状は例示であり、変更可能である。特に、押圧部７３ａ、７３ｂ及び導光管７４ａ、７４ｂの各部の形状の詳細については、当該各部の機能を発揮し得る限りにおいて、可動部７１ａ、７１ｂや押圧部７３ａ、７３ｂ自身及び導光管７４ａ、７４ｂ自身の形状や位置に応じて、任意に変更することができる。
【００７１】
（支点部について）
本実施の形態では、支点部７２ａ、７２ｂを可動部７１ａ、７１ｂの上端部に設ける場合を説明したが、このような構造に限らず、例えば、可動部７１ａ、７１ｂの下端部に設けたり、或いは、可動部７１ａ、７１ｂの上下両端部、若しくは可動部７１ａ、７１ｂの左右両端部に複数設けてもよい。
【００７２】
（開口部の正面形状について）
本実施の形態では、開口部６１ａ、６１ｂの正面形状が略方形状である場合を説明したが、このような形状に以外にも種々の形状を採用してもよい。例えば、開口部６１ａ、６１ｂの正面形状が略円形状や略楕円形状等であってもよい。
【００７３】
（押圧部と導光管について）
本実施の形態では、押圧部７３ａ、７３ｂと導光管７４ａ、７４ｂを連結して配置した場合を説明したが、押圧部７３ａ、７３ｂと導光管７４ａ、７４ｂを互いに分離して配置してもよい。例えば、回路基板５０上に表示灯５３ａと押しボタン５２ａとを離れた位置に配置した場合には、可動部７１ａにおいて導光管７４ａと押圧部７３ａを相互に離れた位置に配置する。
【００７４】
（可動部について）
本実施の形態では、１つの可動部７１ａ、７１ｂに、１つの押圧部７３ａ、７３ｂと１つの導光管７４ａ、７４ｂを配置した場合を説明したが、これに限らず、押圧部７３ａ、７３ｂと導光管７４ａ、７４ｂの配置数を任意に設定できる。例えば、１つの可動部７１ａに対向する回路基板５０の側面に、表示灯５３ａ又は押しボタン５２ａを複数配置した場合には、当該表示灯５３ａ又は当該押しボタン５２ａの配置数に合わせて、当該１つの可動部７１ａに、導光管７４ａ又は押圧部７３ａを複数配置する。
【００７５】
（表示シールについて）
本実施の形態では、表示シール７６ａ、７６ｂの外側に、押しボタン５２ａ、５２ｂに関連する所定の情報を表示するための情報表示部７７ａ、７７ｂを設けた場合を説明したが、必ずしもこの情報表示部７７ａ、７７ｂを設けることを要しない。例えば、可動部７１ａの外側に、情報表示部７７ａを設けた場合には、表示シール７６ａの外側に、情報表示部７７ａを設けなくてもよい。この場合には、利用者等が可動部７１ａに設けた情報表示部７７ａを筐体の外部から視認できるようにするため、表示シール７６ａが透明材料にて形成されることが好ましい。
【符号の説明】
【００７６】
１  受信機
１ａ、１ｂ、１ｃ、１ｄ  係止穴
３  筐体
３ａ  正面カバー
３ｂ  背面カバー
４  操作部
４ａ  告知再生操作部
４ｂ  ラジオ放送操作部
４ｃ  ボリューム操作部
５  表示部
５ａ  電源表示部
５ｂ  緊急放送表示部
５ｃ  一般放送表示部
６  音響孔
７〜９、１４  収容空間部
１０  同軸ケーブル
１１  電源コード
１３  移報用ケーブル
１５  ガイド部
１５ａ、２２ｂ  小径部
１５ｂ  中径部
１５ｃ、２２ａ  大径部
１７  アンテナ
２０  固定板
２１、６１ａ、６１ｂ、６１ｃ、６１ｄ  開口部
２２、２３  ネジ孔
２４  係止突起
２５  溝部
３０  電池収容部
４０  電池カバー
５０  回路基板
５１ａ、５１ｂ、５１ｃ、５３ａ、５３ｂ  表示灯
５２ａ、５２ｂ  押しボタン
５４  セグメント表示部
５５  ボリュームスイッチ
６２ａ、６２ｂ、６２ｃ、７４ａ、７４ｂ  導光管
６３ａ、６３ｂ、６３ｃ、７５ａ、７５ｂ  貫通孔
７１ａ、７１ｂ  可動部
７２ａ、７２ｂ  支点部
７３ａ、７３ｂ  押圧部
７６ａ、７６ｂ  表示シール
７７ａ、７７ｂ  情報表示部
Ｗ  設置壁
【図１】
2011003335.tif 000003
【図２】
2011003335.tif 000004
【図３】
2011003335.tif 000005
【図４】
2011003335.tif 000006
【図５】
2011003335.tif 000007
【図６】
2011003335.tif 000008
【図７】
2011003335.tif 000009
【図８】
2011003335.tif 000010
【図９】
2011003335.tif 000011
【図１０】
2011003335.tif 000012